(57)【要約】      （修正有）【課題】デザイン性に優れ、かつムーブメントの回転軸を中心にバランスよく回転する時計針、装飾時計、および時計針の製造方法を提供する。【解決手段】長針１４０には、装飾部１４５が、長針１４０の全体の重心がムーブメントの回転軸Ｒと重なる位置にくる重さおよび位置で長針１４０の後端側に延設棒材１４４を設けられ、長針１４０を構成する葉身部１４１、延設棒材１４４、および装飾部１４５は、一体で打抜き加工で形成される。【選択図】図１
2020091215.tif 000002
【特許請求の範囲】
【請求項１】
時計本体部に設けられたムーブメントの回転軸に取付けられた複数の指針が回転することで時を示す時計針において
全体の重心が前記回転軸と重なる位置にくる重さおよび位置で前記指針の後端側に設けられ、かつ装飾を有する装飾錘部、
を備えることを特徴とする時計針。
【請求項２】
前記指針と前記装飾錘部は、
一体形成されること、
を特徴とする請求項１記載の時計針。
【請求項３】
前記装飾錘部は、
延設棒材を介して前記指針の後端側に設けられること、
を特徴とする請求項１記載の時計針。
【請求項４】
前記指針には装飾を有する指針装飾部が設けられ、
前記装飾錘部は、
前記指針の回転時に、他の指針に設けられた前記指針装飾部と重なる位置に設けられること、
を特徴とする請求項１記載の時計針。
【請求項５】
前記装飾錘部と、前記指針装飾部とは、
互いに関連性のあるデザインを有すること、
を特徴とする請求項４記載の時計針。
【請求項６】
時計本体部に設けられたムーブメントの回転軸に取付けられた複数の指針が回転することで時を示す装飾時計において
全体の重心が前記回転軸と重なる位置にくる重さおよび位置で前記指針の後端側に設けられ、かつ装飾を有する装飾錘部、
を備えることを特徴とする装飾時計。
【請求項７】
時計本体部に設けられたムーブメントの回転軸に取付けられた複数の指針が回転することで時を示す時計針の製造方法において
前記指針と、全体の重心が前記回転軸と重なる位置にくる重さおよび位置で前記指針の後端側に設けられ、かつ装飾を有する装飾錘部とを一体で打抜き加工する工程、
を備えることを特徴とする時計針の製造方法。
【発明の詳細な説明】
【技術分野】
【０００１】
本発明は、時計針、装飾時計、および時計針の製造方法、および時計に関し、特に時計本体部に設けられたムーブメントの回転軸に取付けられた複数の指針が回転することで時を示す時計針、装飾時計、および時計針の製造方法に関する。
【背景技術】
【０００２】
従来から、時間を計り、その経過を正確に認識するために時計が用いられている。
時計は、主にゼンマイを動力として稼働する機械式、または電池で稼働する電池で稼働するクォーツ式による時計の駆動をつかさどるムーブメントの指針軸に取り付けられた時計針が、指針軸を中心に円周の等分位置に数字が配置された文字盤上を回転することで時刻を表している。
【０００３】
時計針は、ムーブメントの指針軸を中心に先端が文字盤の円周を回転するため、時計針の重心がムーブメントの指針軸から離れてしまうと、時計針全体のバランスが悪くなり、時計針が遅れたり止まったりしてしまう不具合を起こす原因となっている。
【０００４】
そこで、時計針の重心をムーブメントの指針軸に近づけて時計針全体のバランスを整えるために、時計針の先端部分とは反対側の後端部を大きく形成するバランサーを設けることで重くし、時計針の重心位置を指針軸の位置に近づけることが考えられている（たとえば、特許文献１参照）。
【０００５】
具体的には、特許文献１における図５では、秒針６１の基部６１２の側に錘部６１３を張り出すことで、秒針６１の軸線方向において、指示部６１１の側と基部６１２の側との重量バランスの中心位置が軸５２１上にくるようにしている。さらに具体的には、重量が５ｍｇｆである秒針本体（錘部６１３を除いた秒針６１）は、３ｍｇｆｍｍのアンバランスがあり、このアンバランスを、錘部６１３が補正している。
【先行技術文献】
【特許文献】
【０００６】
【特許文献１】特開平７−１５９５５２号公報
【発明の概要】
【発明が解決しようとする課題】
【０００７】
ところが、特許文献１における図５では分針や時針と比較して軽い秒針のバランスを錘部で補正しているが、分針や時針のバランスを補正する場合では、針のバランスを補正する錘部は、デザイン性を損なう問題があった。
例えば、分針のように長い時計針のバランスを調整するためには、基端側にもうける錘部も大きくする必要があり、時計針のデザイン性を損なう問題がある。
【０００８】
本発明はこのような点に鑑みてなされたものであり、デザイン性に優れ、かつムーブメントの回転軸を中心にバランスよく回転する時計針、装飾時計、および時計針の製造方法を提供することを目的とする。
【課題を解決するための手段】
【０００９】
本発明では上記問題を解決するために、時計本体部に設けられたムーブメントの回転軸に取付けられた複数の指針が回転することで時を示す時計針において全体の重心が前記回転軸と重なる位置にくる重さおよび位置で前記指針の後端側に設けられ、かつ装飾を有する装飾錘部を備えることを特徴とする時計針が提供される。
これにより、装飾錘部が、全体の重心が回転軸と重なる位置にくる重さおよび位置で指針の後端側に設けられる。
【００１０】
また、本発明では、時計本体部に設けられたムーブメントの回転軸に取付けられた複数の指針が回転することで時を示す装飾時計において全体の重心が前記回転軸と重なる位置にくる重さおよび位置で前記指針の後端側に設けられ、かつ装飾を有する装飾錘部を備えることを特徴とする装飾時計が提供される。
これにより、装飾錘部が、全体の重心が回転軸と重なる位置にくる重さおよび位置で指針の後端側に設けられる。
【００１１】
また、本発明では、時計本体部に設けられたムーブメントの回転軸に取付けられた複数の指針が回転することで時を示す時計針の製造方法において前記指針と、全体の重心が前記回転軸と重なる位置にくる重さおよび位置で前記指針の後端側に設けられ、かつ装飾を有する装飾錘部とを一体で打抜き加工する工程を備えることを特徴とする時計針の製造方法が提供される。
これにより、指針と、全体の重心が回転軸と重なる位置にくる重さおよび位置で指針の後端側に設けられる装飾錘部とを一体で打抜き加工する。
【発明の効果】
【００１２】
本発明の時計針、装飾時計、および時計針の製造方法によれば、装飾錘部が、全体の重心が回転軸と重なる位置にくる重さおよび位置で指針の後端側に設けられ、ムーブメントの回転軸を中心に装飾錘部がバランスよく回転するので、時計針が遅れたり止まったりしてしまう不具合が生じることなく時計全体のデザイン性を向上させることができる。
【図面の簡単な説明】
【００１３】
【図１】本実施の形態に係る装飾時計を示す正面図である。
【図２】本実施の形態に係る装飾時計の装飾部が短針と重なった状態示す正面図である。
【図３】装飾部を有する長針の詳細を示す正面図である。
【発明を実施するための形態】
【００１４】
以下、本発明の実施の形態を、図面を参照して詳細に説明する。
図１は、本実施の形態に係る装飾時計を示す正面図である。
図１に示すように装飾時計１００は、フレーム１１０、文字盤１２０、短針１３０、および長針１４０を備えている。
【００１５】
フレーム１１０は、装飾時計１００を支える枠体であり、円形、矩形など様々な形状で形成され、フレーム１１０の内側には、時刻を表す数字やマークなどが表示された文字盤１２０が固定されている。
【００１６】
短針１３０、および長針１４０は、文字盤１２０の前面に配置されており、短針１３０は時間、長針１４０は分を示すためのものである。
またフレーム１１０および文字盤１２０の裏面には、短針１３０は時間、長針１４０を駆動するための図示しないムーブメントが配置されており、短針１３０、および長針１４０がムーブメントの回転軸Ｒに固定され、文字盤１２０上を回転しながら時を示す。
【００１７】
短針１３０は針全体が細い葉っぱの形状をしており、葉っぱの葉身にあたる葉身部１３１が形成され、葉身部１３１の先端側には葉先にあたる葉先部１３２が形成され、葉先部１３２が文字盤１２０に刻まれた数字を示すことで時間を表し、葉身部１３１の後端側には茎につながる葉柄にあたる葉柄部１３３が形成されている。
【００１８】
また葉身部１３１の葉柄部１３３側がムーブメントの回転軸Ｒに固定され、葉先部１３２側が文字盤１２０上を回転しながら文字盤１２０に刻まれた数字を示すことで時間を表す。
【００１９】
長針１４０は、短針１３０よりも長く針全体が細い葉っぱの形状をしており、葉っぱの葉身にあたる葉身部１４１が形成され、葉身部１４１の先端側には葉先にあたる葉先部１４２が形成され、葉先部１４２が文字盤１２０に刻まれた数字を示すことで分を表し、葉身部１４１の後端側には茎につながる葉柄にあたる葉柄部１４３が形成されている。
【００２０】
また葉身部１４１の葉柄部１４３側は短針１３０の上に重なるようにムーブメントの回転軸Ｒに固定され、葉先部１４２側が文字盤１２０上を回転しながら文字盤１２０に刻まれた数字を示すことで分を表す。
【００２１】
さらに葉柄部１４３の後端側には、延設された延設棒材１４４を介して蝶の装飾を有した装飾部１４５を備えている。装飾部１４５は、ムーブメントの回転軸Ｒに固定された葉身部１３１の後端側に固定されるものであり、葉身部１３１、延設棒材１４４、および装飾部１４５で構成される長針１４０の重心が、ムーブメントの回転軸Ｒと重なる位置および重さで形成されるバランサーの役割も担っている。
【００２２】
これにより、長針１４０を構成する葉身部１３１と装飾部１４５とのバランスがよくなり、ムーブメントへの負荷が少なくなり、長針１４０が遅れたり止まったりしてしまう不具合を防止することができる。
【００２３】
さらに蝶の装飾を有した装飾部１４５は延設棒材１４４を介して、ムーブメントの回転軸Ｒから装飾時計１００のフレーム１１０側に設けられるので、ムーブメントの回転軸Ｒから外周側に離れた位置を回転することになり、装飾部１４５である蝶を文字盤１２０上で長距離移動させることができる。
【００２４】
このように、蝶の装飾を有した装飾部１４５を文字盤１２０上で大きく回転させることで、蝶が文字盤１２０上を飛んでいるように見せることができるようになり、装飾時計１００全体の審美性を向上させることができる。
【００２５】
なお、延設棒材１４４は細長い棒状で形成することで、延設棒材１４４の存在感を極力抑えることができる。また延設棒材１４４の色を文字盤１２０と同じ色に塗装することで、装飾部１４５のみが文字盤１２０を飛んでいるように見せることができる。
【００２６】
図１の装飾時計１００では、装飾部１４５を長針１４０の後端側に設けるようにしたが、短針１３０の後端側にも同様に装飾部を設けるように形成してもよい。さらに装飾部を設けた短針１３０の重心がムーブメントの回転軸Ｒと重なる位置にすることで、短針１３０の回転バランスをよくすることもできる。
【００２７】
また図１では短針１３０、および長針１４０を備える装飾時計１００の場合で示したが、さらに秒針を備えることもでき、この秒針にバランサーの役割を兼ね備えた装飾部を設けるようにしてもよい。
【００２８】
図２は、本実施の形態に係る装飾時計の装飾部が短針と重なった状態示す正面図である。
図２に示すように、短針１３０および装飾部１４５を有する長針１４０は、ムーブメントの駆動により文字盤１２０上を回転し、短針１３０と長針１４０とが直線上にならぶ位置まで回転することで、装飾部１４５が短針１３０の上に重なる。
【００２９】
このように、長針１４０がムーブメントの回転軸Ｒを中心に回転することで、蝶の装飾を有する装飾部１４５は、文字盤１２０を飛んでいるように回転し、短針１３０と長針１４０とが直線上にならんだときに、蝶が葉身部１３１に止っているように見せることができる。
【００３０】
また時が進むにつれ、短針１３０および長針１４０は回転することで、蝶の装飾を有する装飾部１４５は短針１３０から離れることで、蝶が葉身部１３１から飛び立つように見せることができる。
【００３１】
このように、装飾時計１００では、長針１４０の後端側に設けた装飾部１４５が文字盤１２０上を回転し、１時間に一定の間だけ短針１３０の葉身部１３１に蝶が止まっているように見せることができるので、装飾時計１００のデザイン性を向上させることができる。
【００３２】
また、装飾部１４５と重なる短針１３０との装飾は、互いに関連するデザインを施されることが好ましい。例えば装飾部１４５の装飾がカブトムシの場合には、カブトムシが止まるであろう木のデザインを短針１３０に施すことで、カブトムシが飛んで木に止まる様子を演出することができる。なお、装飾部１４５や短針１３０および長針１４０の装飾は、蝶やカブトムシの他、てんとう虫、モンシ蝶や他の動植物を選択するようにしてもよい。
【００３３】
図３は、装飾部を有する長針の詳細を示す正面図である。
図３に示すように、長針１４０は、葉身部１４１、葉先部１４２、葉柄部１４３、延設棒材１４４、および装飾部１４５を備えている。
【００３４】
長針１４０は、アルミニウム、真鍮などの軽量で加工しやすい金属で形成されており、本実施の形態の長針１４０は、葉身部１４１、葉先部１４２、葉柄部１４３、延設棒材１４４、および装飾部１４５が一体で形成される打抜き加工によって形成される。
このように、長針１４０全体を打抜き加工することで、長針１４０を量産したときにでも長針１４０のバランス制度を均一に保つことができる。
【００３５】
たとえば、長針１４０において葉身部１４１と装飾部１４５を別々で打ち抜き加工などで形成し、延設棒材１４４の一端側に葉柄部１４３を、他端側に装飾部１４５を接着することで長針１４０を形成することが考えられる。
【００３６】
しかし、延設棒材１４４と葉柄部１４３との接着位置や、延設棒材１４４と装飾部１４５との接着位置によっては、バランサーの役割を担う装飾部１４５の位置が製品ごとに変わってしまう場合が考えられる。この場合、ムーブメントの回転軸Ｒと重なるべき長針１４０の重心が変わってしまい、時計の精度が悪くなってしまう。
【００３７】
そこで長針１４０全体を一体で抜き打ち加工形成することで、装飾部１４５の位置は一定で形成されるので、長針１４０を量産したときにでも長針１４０のバランス制度を均一に保つことができる。
【００３８】
また抜き打ち加工時、または抜き打ち加工の後に葉身部１４１や装飾部に折り曲げ加工をすることができる。
具体的には、葉身部１４１の中心には、世脈の主脈にあたる主脈部１４６を中心にして、葉縁にあたる葉縁部１４７が装飾時計１００の前面側に折り曲げ加工されている。これにより、葉身部１４１に立体感をもたせることができ、実際の葉っぱに近いデザインを施すことができる。
【００３９】
また蝶の装飾が施される装飾部１４５にも同様に、蝶の羽の部分を装飾時計１００の前面側に折り曲げ加工することで、装飾部１４５の蝶を実際の蝶に近いデザインを施すことができ、蝶が羽ばたく様子を演出することができる。
【００４０】
さらに、全体を一体で抜き打ち加工形成された長針１４０、および短針１３０の表面には、葉っぱの装飾や蝶の装飾をペイントすることで、装飾性豊かな装飾時計１００を形成することができる。
【００４１】
なお、本実施の形態では、長針、分針がすべて同軸にある場合の機械式時計を例としたが、長針、分針、または秒針も含めてすべてが独立して同軸にないレギュレータと呼ばれる機械式時計においても、装飾部を指針の後端側に設け、他の指針と重なり合うことで、デザイン性を向上させるようにしてもよい。
【符号の説明】
【００４２】
６１  秒針
１００  装飾時計
１１０  フレーム
１２０  文字盤
１３０  短針
１３１、１４１  葉身部
１３２、１４２  葉先部
１３３、１４３  葉柄部
１４０  長針
１４４  延設棒材
１４５  装飾部
１４６  主脈部
１４７  葉縁部
５２１  軸
６１１  指示部
６１２  基部
６１３  錘部
６１３  秒針本体
Ｒ  回転軸
【図１】
2020091215.tif 000003
【図２】
2020091215.tif 000004
【図３】
2020091215.tif 000005